(57)【要約】【課題】    本発明の根底をなす課題は、新たな綴じる方法を使用可能にすることである。【解決手段】結束手段が少なくとも一つの可撓性のフラップ（７，１０，１４，２２，２７，２８）を備え、紙葉（１７，３１，２４）に各々折り目（３８）の領域内に少なくとも一つのスリット（１８，３２，２５）を設けること、および紙葉（１７，３１，２４）および／またはカバー（２１）を綴じるためのフラップ（７，１０，１４，２２，２７，２８）をスリット（１８，３２，２５）内に引き込むことにより解決される。【選択図】  図１
2005075003.tif 000002
【特許請求の範囲】
【請求項１】
折られた紙葉（１７，３１，２４）を結束手段により背において互いに固く結束する様式の、グラフィック製品を結束する方法において、
結束手段が少なくとも一つの屈曲性のフラップ（７，１０，１４，２２，２７，２８）を備えており、紙葉（１７，３１，２４）に各々折り目（３８）の領域内に少なくとも一つのスリット（１８，３２，２５）を設けること、
および
紙葉（１７，３１，２４）および／またはカバー（２１）を結束するためのフラップ（７，１０，１４，２２，２７，２８）をスリット（１８，３２，２５）内に引き込むことを特徴とする方法。
【請求項２】
フラップ（７，１０，１４）が紙葉（１，８，１２）における継ぎ目標であることを特徴とする請求項１記載の方法。
【請求項３】
継ぎ目標（７，１０）が紙葉（１，８）の折り目（５，９）における打ち抜き部であることを特徴とする請求項２記載の方法。
【請求項４】
継ぎ目標（１４）が折られていない紙葉（１２）に設けられているか、あるいは別個の部材（２２，２７，２８）として形成されていることを特徴とする請求項１または２記載の方法。
【請求項５】
少なくとも二つの継ぎ目標（７，１０）が互いに間隔をおいて紙葉（１，８）に設けられていること、
および、
他の紙葉（１７，３１，２４）が少なくとも二つの互いに間隔をおいて設けられたスリット（１８，３２，２５）を備えており、継ぎ目標（７，１０，１４）をこれらのスリット（１８，３２，２５）を通して引き込むことを特徴とする請求項２〜４のいずれか一つに記載の方法。
【請求項６】
引き込まれるフラップ（７，１０，１４，２２，２７）を折り返し、かつ紙葉の外側（４０）かあるいはカバーに固定することを特徴とする請求項１記載の方法。
【請求項７】
継ぎ目標（７，１０，１４）を外側（４０）に固定するかあるいは接着することを特徴とする請求項６記載の方法。
【請求項８】
引き込まれるフラップ（２８）が開口部（２９）を備えており、かつ輪綴じ（Ringheftung）のために設けられていることを特徴とする請求項１〜５のいずれか一つに記載の方法。
【請求項９】
フラップ（７，１０，１４，２２，２７，２８）が広告手段として使用可能であることを特徴とする請求項１〜８のいずれか一つに記載の方法。
【請求項１０】
スリット（１８，３２，２５）を通して引き込まれるフラップ（７，１０，１４，２２，２７）を折り曲げ、かつ少なくとも一枚の紙葉（１７，３１，２４）に固定することを特徴とする請求項１〜９のいずれか一つに記載の方法。
【請求項１１】
フラップ（７，１０，１４，２２，２７，２８）が紙から作られていることを特徴とする請求項１〜１０のいずれか一つに記載の方法。
【請求項１２】
グラフィック製品が本、小冊子あるいは雑誌であることを特徴とする請求項１による方法により作られたグラフィック製品。
【請求項１３】
多数の紙葉（１７，３１，２４）が折られていて、かつ折り目ラインにおいてスリット（１８，３２，２５）を備え、これらのスリットを通して可撓性のフラップ（７，１０，１４，２２，２７，２８）が引き込まれ、この場合フラップ（７，１０，１４，２２，２７，２８）が、紙葉（１７，３１，２４）を丁合いする結束手段であることを特徴とする請求項１２記載のグラフィック製品。
【発明の詳細な説明】
【技術分野】
【０００１】
本発明は折られた紙葉を結束手段により背において互いに固く結束する様式の、グラフィック製品を綴じる方法に関する。
【背景技術】
【０００２】
グラフィック製品、例えば本、小冊子あるいは雑誌を綴じる方法は、何年も前から公知である。実際は、基本的に三つの方法が実証されてきた。それは針金綴じ、糸綴じおよび糊付け製本である。
【０００３】
針金綴じの場合、折られた紙葉はその背でワイヤクランプにより綴じられ、それにより結果として機械的に比較的速くかつ費用をかけずに行うことができる。針金綴じの場合、留め金の脚部を完全に折らないと、けがをする危険があることが欠点である。このことは特に子供向けの本の場合に考慮しなければならない。なぜなら小さい子供たちはこのような突出している留め金の脚部でけがをすることがあるからである。さらに、留め金は所望でない厚さ構造を必要とすることも欠点である。針金綴じされた印刷物は、紙からも、金属からもできているので、このことはリサイクルに関して異質であり、従ってリサイクルには最適ではない。しかしながら、特に小冊子と雑誌の場合、リサイクルが最適にできることが重要である。
【０００４】
糸綴じにより、比較的価値の高い印刷物を製造することができる。しかし、機械的に糸綴じはそれほど要求が多くない。なぜなら極めて細い綴じ針を使用しなければならないからである。さらに、糸綴じは比較的時間がかかる。
【０００５】
糊付け製本の場合、紙葉の背を面取りして、接着剤の塗布により互いに接合する。説明したように、背を前もって面取りするので、綴じることはただ面取りされた縁部において、塗布された接着剤により行われるだけである。糊付け製本の場合、保持力が比較的小さいこと、特に印刷物、例えば本の所望の平坦な開いた個所に関して保持力が小さいことが欠点である。
【発明の開示】
【発明が解決しようとする課題】
【０００６】
本発明の根底をなす課題は、新たな綴じる方法を使用可能にすることである。
【課題を解決するための手段】
【０００７】
上記課題は、本願の技術様式と同じ方法にあって、結束手段が少なくとも一つの可撓性のフラップを備え、紙葉に各々折り目の領域内に少なくとも一つのスリットを設けること、
および
紙葉および／またはカバーを結束するためのフラップを紙葉のスリット内に引き込むことにより解決される。
【０００８】
したがって、本発明による方法にあって、紙葉を可撓性のフラップにより互いに結合し、これらのフラップをスリットを通して紙葉の背内に引き込み、かつ折り返す。これらのフラップは、製品が製造可能であるように、紙、織物材料あるいはプラスチックから作ることができ、金属部分を全く含まず、かつ従ってけがをする危険部を覆い隠すことも全くない。紙葉のスリット内へフラップを引き込むことは、細い綴じ針を使用して仮綴じするよりも、機械的にはるかに簡単に制御可能である。紙葉をその背において面取りする必要がないので、結合とそれによる耐久性は、実質的に糊付け製本に比べてはるかに高い。本発明による方法により製造された製品は、水平に開けることができ、かつさらに完全に閉じることもできる。さらに、本質的な厚さ構造を引き起こす結束部材（例えば綴じ金）は全くない。
【０００９】
本発明の他の実施形態によれば、フラップは紙葉における継ぎ目標である。継ぎ目標は紙葉を打ち抜くことにより作ることができる。しかしながら、継ぎ目標は紙の折られていない毎葉であってもよい。特に、少なくとも二つの互いに間隔をおいて設けられた紙葉の継ぎ目標が設けられていてもよい。継ぎ目標の長さは、継ぎ目標を結合される紙葉のスリットを通して差し込み、突出した自由端において折り返し、そして最も外側の紙葉と結束し、特に接着剤を使用して固定することができるように決められている。しかしながら、これらの継ぎ目標は、紙葉の背において突出していてもよく、かつリングファイル（Ringordner）内に入れるための丸孔を備えていてもよい。このように互いに結束した紙葉は、カバー内へ装丁することができる。装丁は例えば接着剤を使用して行うことができる。
【００１０】
特に簡単かつ耐久性のある結束は、本発明の他の実施形態により、紙葉のスリット内に引き込まれるフラップを自由端において折り曲げ、かつ少なくとも紙葉に固定した場合に得られる。紙葉における折り曲げられたフラップの固定は、特に接着剤により行われる。
【００１１】
さらに本発明は、本発明による方法により製造される製品に関する。この製品は特に本、小冊子、雑誌等である。
【発明を実施するための最良の形態】
【００１２】
本発明を以下に実施例に基づき詳細に説明する。
【実施例】
【００１３】
図１は折り５を有する紙葉１を示しており、この紙葉は例えば紙から作られている。しかし原則的に、紙葉１は他の材料からも作られている。紙葉１は特に長方形に裁断されており、天縁部２、地縁部３ならびに二つの平行な前縁部４を有している。折り５は背を形成しており、この背において二つの互いに距離をおいて設けられたフラップ、すなわち継ぎ目標７が打ち抜かれている。この継ぎ目標７はよりいっそう以下に詳しく説明するように、結合継ぎ目標である。継ぎ目標７は紙葉１から外へ打ち抜かれており、対応して紙葉１は一致する打ち抜き孔６を有している。しかしながら、対応する紙テープを紙葉１に固定し、特に接着することにより、原則的に継ぎ目標７を作ることもできる。継ぎ目標７ならびに打ち抜き孔６は紙葉１にあっては天縁部２と地縁部３に対して間隔をおいて設けられている。したがって打ち抜き孔６あるいは継ぎ目標７は、紙葉１の内部にある。
【００１４】
図２は紙葉８を示しており、この紙葉は二つの互いに間隔を置いて設けられた継ぎ目標１０を備え、これらの継ぎ目標は同様に折り９の領域内に設けられている。しかしながら、この場合継ぎ目標１０と対応する打ち抜き孔１１は、縁部に設けられている。したがって打ち抜き孔１１はいうまでもなく側方へ開いており、継ぎ目標１０は天縁部３６あるいは地縁部３７を継続して形成している。さらに、この場合、継ぎ目標１０は紙葉８に接着されていてもよい。継ぎ目標が紙葉の内側で接着されている場合，打ち抜き孔１１は存在せずに、スリットだけが存在する。
【００１５】
図３は折られていない紙葉１２（シート）を示しており、この紙葉は二つの互いに間隔をおいて設けられた前方へ突出している継ぎ目標１４を備えている。これらの継ぎ目標１４は、継ぎ目標が図２による紙葉８の場合であるように、同様に縁部に設けられている。継ぎ目標１４は矢印１５により約１８０°だけ折り曲げることができる。紙葉１２は折られておらず、すなわち単葉紙である。両方の継ぎ目標１４は、縁部１３の対応するエッジにより作ることができる。さらに、この場合打ち抜きすることもできる。
【００１６】
図４ａ〜４ｃと５ａ〜５ｄに基づいて、以下に本発明による方法を詳しく説明する。
【００１７】
図４ａで示す、折られていない紙葉１２と、二枚あるいはそれより多くの折られた紙葉１７を互いに結合する。折られた紙葉１７に各々適当な折り目により折り目３８を設け、折り目１８の領域内に各々互いに間隔をおいて設けられた二つのスリット１８を加える。スリット１８は折り目３８の線内にあり、例えば適当な刃により紙葉１７における折り目の前後において、切れ目を入れられる。スリット１８の位置と長さは、継ぎ目標１４の間隔と長さに一致している。折られてかつスリット１８を備えた紙葉１７は、図４ａによれば、互いに接して並べられる。さらに当然のことであるが、二枚より多くの紙葉１７も一緒に結束することができる。部分的に開いた紙葉１７において、図４ａに示すような折られていない紙葉１２を挿入する。紙葉１２を矢印１９の方向で、図４ｂにおいて示す位置へ移動し、この場合、両方の継ぎ目標１４を各々スリット１８の一つに引き込む。スリット１８内に継ぎ目標１４を引き込むために、スリットを適当な装置により広げる。継ぎ目標１４の長さは、継ぎ目標が各々図４ｂによる引き込みに応じて、自由端部１４を備えており、この自由端部が紙葉１７の背側に突出するように決められている。この自由端部１４ａを矢印１９の方向に転向し、かつ最も外側の紙葉１７ａの背側４０に固定する。その固定は、例えば自由端部１４ａを外側４０において接着することにより行うことができる。紙葉１２ならびに紙葉１７は、互いに固く結束されており、かつセグメント４１を形成する。さらに継ぎ目標はセグメントと互いに結束することができ、かつ同様に糸で封止（Fadensiegelung）して、本一冊を形成することができる。次いでセグメント４１の開放側を、適切かつ公知の方法で、裁断装置を用いて裁断する。さらに、紙葉１２がただ一つの継ぎ目標１４かあるいは二つ以上の継ぎ目標１４を備えた実施形態も考えられる。
【００１８】
図５ａ〜５ｄは、紙葉８を用いた、二枚あるいはそれより多くの紙葉３１の結合を示す。紙葉３１は各々二つの側方に開いたスリット３２を備え、その長さは継ぎ目標１０の幅に一致している。図５ａにより、紙葉８を相接して置かれた紙葉３１内に挿入し、かつ継ぎ目標１０をスリット３２を通して引っ張ることができるように紙葉８を移動させる。図５ｂはスリット３２を通して引っ張られた継ぎ目標１０を備えた紙葉８を示す。紙葉８と３１が互いに挿入されている場合、継ぎ目標１０を図５ｂにより矢印３３の方向へ転向させる。これらの継ぎ目標１０を先に説明したように外側の紙葉３４の背側に固定する。両方の継ぎ目標１０は各々外側縁部１０ａにより、開放側４２あるいは４３に対して揃っている。別個の継ぎ目標を使用する場合、例えば図８ａ、８ｂによれば、フラップを背の折りの方向で、天側あるいは地側からこちらへ供給することもできる。最後に、このようにして作られた、例えば小冊子あるいは本ブロックであってもよい製品をカバー２１内に装丁する。製品１６は例えば一つあるいはそれより多数の製品３４あるいは中間製品であるセグメントから成る。
【００１９】
カバー３１内に装丁した後、開放側を裁断する。カバー２１を好ましくは内側で継ぎ目標１０と、あるいは側面に接着剤を塗布することにより、背に沿って製品１６と結束する。しかしながら、さらに継ぎ目標１０はカバーを通して引張ることができ、かつ例えば付加的な機能を担うために空白になっていてもよく、あるいは継ぎ目標は印刷することができ、かつクーポン券としての特徴を有することができる。この場合、継ぎ目標１０は好ましくは穿孔されており、それにより部分的に取り外すことができる。
【００２０】
図８ａと８ｂは、上述の継ぎ目標７、１０および１４の代わりに、別個に作られた可撓性の帯状部材２２、２７あるいは２８を結束するために使用する方法を示す。これらの帯状部材２２，２７および２８は、継ぎ目標７、１０および１４のように帯状のフラップすなわち結束フラップを形成する。
【００２１】
図８ａによる折られた紙葉２４を互いに結束するために、紙葉は同様に折られ、かつ紙葉にスリット２５を設ける。これらのスリット２５はこのことが図４ｃあるいは５ｄから明らかなように、同様に縁部に、あるいは縁部に対して間隔をあけて設けられていてもよい。帯状部材２２は継ぎ目標７，１０あるいは１４に相当するが、独立しておりかつ一枚の紙葉には適していない。図８ａによる紙葉２４は折られ、かつ切れ目を入れられならびに互いに接して置かれ、従って帯状部材２２を内側から矢印２３の方向へ、あるいは外側からスリット２５の方向へ引き込まれる。このように引きこむことは、図８ｂにより各々外側端部２２ａと内側端部２２ｂが突出しているように行われるのが好ましい。これらの端部２２ａと２２ｂを、矢印２６に従って偏向する。外側端部２２ａを外側の紙葉２４ａの背側で、および内側端部２２ｂを内側の紙葉２４ｂの内側で固定、例えば接着する。帯状部材２２は図９によれば単純な長方形の条片ならびに縦長の条片である。この条片は例えば紙かあるいはプラスチック箔でできている。
【００２２】
図１０に示す帯状部材２７は、同様に縦長のフラップかあるいは条片である。中央には対向している外側打ち抜き部２７ａが設けられていて、それらの間隔は互いにほぼスリットの長さに対応しており、そのスリット内に帯状部材２７が引き込まれている。外側打ち抜き部２７ａの領域内において先細りにすることにより、帯状部材２７をその長さ方向で固定する。対応するスリットは、外側打ち抜き部２７ａの領域内の帯状部材の幅と同じくらいに長い。
【００２３】
図１１は帯状部材２８を示しており、この帯状部材は同様に長手方向の固定に関して側面の外側打ち抜き部４４を備えている。さらに帯状部材２８は丸孔２９を備え、この丸孔により、穴綴じに似て、ここでは図示していないリングファイル内へ入れることができる。丸孔２９を備えた領域は、この場合には固定されない。この領域は折り返されている（折畳み式である）か、あるいは突出していてもよい。帯状部材２８の内側フラップは、形状一体であってもよく、および／または接着されていてもよい。
【００２４】
帯状部材２８を引き込むスリットは、基本的に、外側打ち抜き部４４により形成されるウェッブ４５の持つ幅ほどの長さを持つ。さらに紙葉２４は様々な帯状部材２２，２７あるいは２８により互いに結束することができる。例えば、紙葉２４を三つの帯状部材２２あるいは２７、および二つの帯状部材２８により、丁合いすることができる。次いで両方の帯状部材２８はリングファイル内に製品を入れるための特に二つの穴を形成している。さらに、継ぎ目標、フラップ等の形状を広い範囲内で変えることができる、例えば形状を、引き込みを容易にするために、一定の領域内で先細りにすることができる。
【００２５】
さらに、継ぎ目標は最も外側の紙葉あるいはカバーの部分（外側打ち抜き部）であってもよく、継ぎ目標は外側からスリットを通って引っ張り込まれており、かつもっとも内側の紙葉に固定されている。
【図面の簡単な説明】
【００２６】
【図１】二つの打ち抜かれたフラップを備えた紙葉の概略立体図である。
【図２】二つの打ち抜かれたフラップを備えた紙葉の変形の概略立体図である。
【図３】二つのフラップを備えた紙葉の毎葉の概略立体図である。
【図４】フラップを引き込むことによる、折られた紙葉の概略結束工程を示す図である。
【図５】フラップを背においてスリット内へ引き込む様式の本発明よる方法の概略個々のステップを示す図である。
【図６】本方法により製造される本ブロックの概略立体図である。
【図７】カバーの概略取付け状態を示す図である。
【図８】折られた紙葉の単独のフラップとの概略結束工程を示す図である。
【図９】図８ａと８ｂによる、紙葉を結束するための別個のフラップの各々の実施形態を示す概略平面図である。
【図１０】図８ａと８ｂによる、紙葉を結束するための別個のフラップの各々の実施形態を示す概略平面図である。
【図１１】図８ａと８ｂによる、紙葉を結束するための別個のフラップの各々の実施形態を示す概略平面図である。
【符号の説明】
【００２７】
１      紙葉
５      折り目
７      フラップ，継ぎ目標
８      紙葉
９      折り目
１０    フラップ，継ぎ目標
１２    紙葉
１４    継ぎ目標
１７    紙葉
１８    スリット
２２    フラップ，別個の部材
２４    紙葉
２５    スリット
２７    フラップ，別個の部材
２８    フラップ，別個の部材
２９    開口部
３１    紙葉
３２    スリット
３８    折り目
４０    外側
【図１】
2005075003.tif 000003
【図２】
2005075003.tif 000004
【図３】
2005075003.tif 000005
【図４】
2005075003.tif 000006
【図５】
2005075003.tif 000007
【図６】
2005075003.tif 000008
【図７】
2005075003.tif 000009
【図８】
2005075003.tif 000010
【図９】
2005075003.tif 000011
【図１０】
2005075003.tif 000012
【図１１】
2005075003.tif 000013